(57)【要約】【課題】前後のどちらにも開閉でき、ボード本体と建物との間に隣室が見える隙間ができない可動式パーテーションボードを提供する。【解決手段】集合住宅の同一階に連続的に設けられるベランダを左右の一端８ａを集合住宅の建物躯体４に結合し他端８ｂをベランダの手摺６に結合して仕切る矩形のボード本体８と、一端８ａより所定の距離他端８ｂ側で上下に延びる鉛直軸Ａに沿って上面８ｃと下面８ｄとに枢着するピボット軸１２を有しピボット軸１２を中心にボード本体８を前後に揺動可能にするピボットヒンジ機構１３と、ボード本体８の前面側と後面８ｆ側とで上面８ｃから下面８ｄまで延び一端８ａと建物躯体４との間の隙間を覆いボード本体８の揺動時に一端８ａが接触しない目隠し部材１４と、手摺６と他端８ｂとを固定する固定金具１６と、を備える。【選択図】図１
2014218818.tif 000002
【特許請求の範囲】
【請求項１】
集合住宅の同一階に連続的に設けられるベランダを左右の一端を集合住宅の建物躯体に結合し他端を前記ベランダの手摺に結合して仕切る矩形のボード本体と、
前記一端より所定の距離前記他端側で上下に延びる鉛直軸に沿って上面と下面とに枢着するピボット軸を有しピボット軸を中心にボード本体を前後に揺動可能にするピボットヒンジ機構と、
ボード本体の前面側と後面側とで前記上面から前記下面まで延び前記一端と建物躯体との間の隙間を覆いボード本体の揺動時に前記一端が接触しない目隠し部材と、
手摺と前記他端とを固定する固定金具と、を備える、ことを特徴とする可動式パーテーションボード。
【請求項２】
目隠し部材は、建物躯体から前記一端より一定の距離前記他端側まで延び、
前記鉛直軸から目隠し部材までの距離は、前記鉛直軸から前記一端までの距離より長い、ことを特徴とする請求項１に記載の可動式パーテーションボード。
【請求項３】
目隠し部材の水平面による横断面形状は、ボード本体側の側面が前記鉛直軸を中心とする円に切り欠かれた形状である、ことを特徴とする請求項２に記載の可動式パーテーションボード。
【請求項４】
固定金具は、手摺に固定され前記前面と前記後面のうちの一方の面の前記他端より所定の距離前記一端側まで延びる手摺固定金具と、
前記前面と前記後面のうちの他方の面の前記他端から手摺まで延びるボード固定金具と、
手摺固定金具とボード本体とボード固定金具とを貫通して固定する長ボルトとを備え、
長ボルトとボード固定金具とを外すことにより前記他方の側に開放可能となる、ことを特徴とする請求項１に記載の可動式パーテーションボード。
【請求項５】
ボード固定金具は、前記一方の側に屈曲して手摺固定金具に係合する係合部を有し、
手摺固定金具は、係合部が係合する係合溝を有し、
長ボルトは、係合溝に係合部が係合した状態で手摺固定金具とボード本体とボード固定金具とを貫通して固定する、ことを特徴とする請求項４に記載の可動式パーテーションボード。
【請求項６】
ピボットヒンジ機構は、建物躯体から水平に延びる水平部を有する水平金具を有し、
ピボット軸は、水平部に取り付けられ、
水平金具は、目隠し部材と一緒に建物躯体に固定される、ことを特徴とする請求項１に記載の可動式パーテーションボード。
【請求項７】
ピボット軸は、水平部を貫通してボード本体に止められたボルトである、ことを特徴とする請求項６に記載の可動式パーテーションボード。
【請求項８】
ボード本体は、前記一端を覆う建物側縦枠と、前記他端を覆う手摺側縦枠と、前記上面と前記下面とを覆う上下の横枠と、建物側縦枠、手摺側縦枠、及び上下の横枠に囲まれて取り付けられる矩形のパネルとを備え、
建物側縦枠もしくは横枠は、ピボット軸が挿入するピボット挿入孔を上下に有する、ことを特徴とする請求項１に記載の可動式パーテーションボード。
【発明の詳細な説明】
【技術分野】
【０００１】
本発明は、集合住宅の同一階を複数戸に跨って連続的に設けられるベランダを通常時に各戸毎に仕切り、必要なときに容易に開閉可能となる可動式パーテーションボードに関する。
【背景技術】
【０００２】
パーテーションボードは、左右の両縦枠と上下の横枠とからなる金属製の周枠と、その周枠に取り付けられるパネルによって構成されるボード本体が、集合住宅の同一階を複数戸に跨って連続的に設けられるベランダを各戸毎に仕切るために、ベランダに設置されたものである。
このパネルは、非常時に突き破って隣室側に抜け出られるように、ケイ酸カルシウム板等の破壊し易い材料で形成されている。また周枠は、一方の縦枠が建物躯体側に、他方の縦枠が手摺側にそれぞれボルト等の固定具で固定されている。
【０００３】
以下、周枠とパネルとからなるパネル構造をボード本体とし、ボード本体とそれをベランダに固定する固定具とをあわせてパーテーションボードと呼ぶ。
【０００４】
一般に、集合住宅の外壁などの改修工事により複数のベランダを行き来する必要が生じた場合には、集合住宅の外側に足場を設置する。しかし足場は、ベランダ側の窓を覆うこととなるため、居住者に圧迫感を与えていた。
また、作業員は、隣室のベランダへ移動する度に手摺を乗り越えて足場へ移り、再度手摺を乗り越えて隣室のベランダに降りるという移動を繰り返さなければならず、非常に作業効率が悪かった。
【０００５】
また耐震診断等のように、足場を使わずに複数のベランダを行き来する必要がある場合には、一戸ずつ居住者の了承を得て各戸のベランダに入ることとなる。しかしこの方法は居住者に負担を強いる上、留守宅のベランダには入れず、作業に長時間を要するため、現実的ではなかった。
【０００６】
また改修工事の作業中だけボード本体を取り外そうとした場合、ボード本体を固定しているボルトを外さなければならない。そしてボード本体を外すと隣室のベランダや室内が見えてしまうため、改修工事の期間中にボード本体を外したまま作業員が帰宅することはできない。
そのため作業の開始時にボード本体を取り外し、作業の終了時間までにボード本体を再びボルトで付け直すという作業を、毎日繰り返さなければならず、作業効率が悪かった。
【０００７】
そのため、集合住宅の同一階を複数戸に跨って連続的に設けられるベランダを通常時に各戸毎に仕切り、必要なときに容易に開閉可能となる可動式のボード本体が求められていた。
【０００８】
このような問題を解決するため、特許文献１のボード本体の取付構造が提案された。特許文献１では、ボード本体は一方の縦枠を蝶番で手摺に固定し、他方の縦枠を固定具で建物に固定したものであり、固定具を解放することによりボード本体を一方の縦枠を中心に開閉可能にしたものである。
【先行技術文献】
【特許文献】
【０００９】
【特許文献１】特開２００２−３６４０６４号公報
【発明の概要】
【発明が解決しようとする課題】
【００１０】
特許文献１のボード本体は蝶番で手摺に固定しているため、一方向にしかボード本体を開放できないという問題があった。そのためボード本体を開放する側に動かせない物が設置されている場合、ボード本体を開放できないという問題が生じた。
【００１１】
また複数の固定具が上下に間隔をおいて配置され、ボード本体と建物とを固定しているため、建物とボード本体との間に隙間が出来てしまった。そのためその隙間から隣室が覗けてしまうという問題があった。
【００１２】
本発明は上述した問題点を解決するために創案されたものである。すなわち本発明の目的は、前後のどちらにも開閉でき、ボード本体と建物との間に隣室が見える隙間ができない可動式パーテーションボードを提供することにある。
【課題を解決するための手段】
【００１３】
本発明によれば、集合住宅の同一階に連続的に設けられるベランダを左右の一端を集合住宅の建物躯体に結合し他端を前記ベランダの手摺に結合して仕切る矩形のボード本体と、
前記一端より所定の距離前記他端側で上下に延びる鉛直軸に沿って上面と下面とに枢着するピボット軸を有しピボット軸を中心にボード本体を前後に揺動可能にするピボットヒンジ機構と、
ボード本体の前面側と後面側とで前記上面から前記下面まで延び前記一端と建物躯体との間の隙間を覆いボード本体の揺動時に前記一端が接触しない目隠し部材と、
手摺と前記他端とを固定する固定金具と、を備える、ことを特徴とする可動式パーテーションボードが提供される。
【００１４】
また目隠し部材は、建物躯体から前記一端より一定の距離前記他端側まで延び、
前記鉛直軸から目隠し部材までの距離は、前記鉛直軸から前記一端までの距離より長い。
【００１５】
また目隠し部材の水平面による横断面形状は、ボード本体側の側面が前記鉛直軸を中心とする円に切り欠かれた形状である。
【００１６】
また固定金具は、手摺に固定され前記前面と前記後面のうちの一方の面の前記他端より所定の距離前記一端側まで延びる手摺固定金具と、
前記前面と前記後面のうちの他方の面の前記他端から手摺まで延びるボード固定金具と、
手摺固定金具とボード本体とボード固定金具とを貫通して固定する長ボルトとを備え、
長ボルトとボード固定金具とを外すことにより前記他方の側に開放可能となる。
【００１７】
またボード固定金具は、前記一方の側に屈曲して手摺固定金具に係合する係合部を有し、
手摺固定金具は、係合部が係合する係合溝を有し、
長ボルトは、係合溝に係合部が係合した状態で手摺固定金具とボード本体とボード固定金具とを貫通して固定する。
【００１８】
またピボットヒンジ機構は、建物躯体から水平に延びる水平部を有する水平金具を有し、
ピボット軸は、水平部に取り付けられ、
水平金具は、目隠し部材と一緒に建物躯体に固定される。
【００１９】
またピボット軸は、水平部を貫通してボード本体に止められたボルトである。
【００２０】
またボード本体は、前記一端を覆う建物側縦枠と、前記他端を覆う手摺側縦枠と、前記上面と前記下面とを覆う上下の横枠と、建物側縦枠、手摺側縦枠、及び上下の横枠に囲まれて取り付けられる矩形のパネルとを備え、
建物側縦枠もしくは横枠は、ピボット軸が挿入するピボット挿入孔を上下に有する。
【発明の効果】
【００２１】
上述した本発明の可動式パーテーションボードによれば、上面と下面とに枢着するピボット軸が同一の鉛直軸上に設置されているので、固定金具を外せば、鉛直軸を中心に前面側にも後面側にもボード本体を開放できる。そのため、仮に可動式パーテーションボードの前面と後面のどちらか一方の側に、排水の樋等の動かせない物が設置されていたとしても、可動式パーテーションボードを他方の側に開放させることができる。
【００２２】
また可動式パーテーションボードが目隠し部材を有し、目隠し部材の構造が、建物躯体から一端より一定の距離他端側まで延び、さらに鉛直軸から目隠し部材までの距離が鉛直軸から一端までの距離より長いので、隣室からベランダや室内が見えることがなく、プライバシを守ることができ、かつボード本体が前面側にも後面側にも開放できる。
【図面の簡単な説明】
【００２３】
【図１】本発明の可動式パーテーションボードの説明図である。
【図２】図１のＡ−Ａ断面図である。
【図３】図２のＢ−Ｂ矢視図である。
【図４】本発明の固定金具の説明図である。
【図５】本発明の固定金具の説明図である。
【発明を実施するための形態】
【００２４】
以下、本発明の実施形態を図面に基づいて説明する。なお、各図において共通する部分には同一の符号を付し、重複した説明を省略する。
【００２５】
図１は、本発明の可動式パーテーションボード２の説明図である。
図２は、図１のＡ−Ａ断面図である。（Ａ）は閉鎖時の可動式パーテーションボード２の説明図であり、（Ｂ）は開放時の可動式パーテーションボード２の説明図である。
図３は、図２のＢ−Ｂ矢視図である。
なお、図１のＡ−Ａは水平面である。
【００２６】
本発明の可動式パーテーションボード２は、集合住宅の同一階を複数戸に跨って連続的に設けられるベランダを各戸毎に仕切る。また本発明の可動式パーテーションボード２は、ボード本体８、水平金具１０、ピボットヒンジ機構１３、目隠し部材１４、及び固定金具１６を備える。
【００２７】
ボード本体８は、集合住宅の同一階に連続的に設けられるベランダを左右の一端８ａを集合住宅の建物躯体４に結合し他端８ｂをベランダの手摺６に結合して仕切る矩形のボードである。
なお、図１において、ボード本体８の裏側をボード本体８の前面８ｅ（図２参照）とし、ボード本体８の表側をボード本体８の後面８ｆとする。
【００２８】
またボード本体８は、一端８ａを覆う建物側縦枠１８と、他端８ｂを覆う手摺側縦枠２０と、上面８ｃと下面８ｄとを覆う上下の横枠２２と、建物側縦枠１８、手摺側縦枠２０、及び上下の横枠２２に囲まれて取り付けられる矩形のパネル２３とを備える。
パネル２３は、ケイ酸カルシウム板等の破壊し易い材料で形成されていることが好ましい。
建物側縦枠１８もしくは横枠２２は、ピボットヒンジ機構１３のピボット軸１２が挿入するピボット挿入孔２４を上下に有する。ピボット挿入孔２４は、鉛直軸Ａに沿ってボード本体８の上面８ｃと下面８ｄに開口する穴である。
【００２９】
ピボットヒンジ機構１３は、ピボット軸１２と水平金具１０を有し、上下に１つずつ設けられ、ピボット軸１２を中心にボード本体８を前後に揺動可能にする。
【００３０】
水平金具１０は、建物躯体４から水平に延びる水平部１０ａを有する。また、水平金具１０は、目隠し部材１４と一緒に建物側縦枠１８に固定される。しかしこれに限らず、水平金具１０と目隠し部材１４とをそれぞれ建物躯体４に固定してもよい。
水平部１０ａは、ボード本体８の上面８ｃより上とボード本体８の下面８ｄより下とに建物躯体４から水平に延びる。
【００３１】
また水平金具１０は図３に示すように、Ｌ字型の部材であり、建物躯体４に沿って鉛直に延びる鉛直部１０ｂを有する。図３の例では、鉛直部１０ｂが目隠し部材１４と一緒に建物躯体４にボルトで固定されている。しかし水平金具１０の固定方法はこれに限らなくて良い。
【００３２】
ピボット軸１２は、各水平金具１０からボード本体８側に鉛直に伸びる棒であり、一端８ａより所定の距離他端８ｂ側で上下に延びる鉛直軸Ａに沿って上面８ｃと下面８ｄとに枢着する。ピボット軸１２は、水平部１０ａに取り付けられることが好ましい。
また鉛直軸Ａから前面８ｅまでの距離と後面８ｆまでの距離は等しいことが好ましい。すなわち、ピボットヒンジ機構１３は、ピボット軸１２の軸心がボード本体８の扉厚の中心にある中心吊りであることが好ましい。
【００３３】
またピボット軸１２は、水平部１０ａを貫通してボード本体８に止められたボルトであることが好ましい。しかしこれに限らず、ピボット軸１２は、通常時にボード本体８を水平金具１０に固定でき、改修工事や耐震診断などの必要な時に緩めることができる部材であれば、他の部材でもよい。
【００３４】
この構成により、本発明の可動式パーテーションボード２は、固定金具１６を外したときに、上下のピボット軸１２を中心に揺動できる。
【００３５】
目隠し部材１４は、ボード本体８の前面８ｅ側と後面８ｆ側とで上面８ｃから下面８ｄまで延び一端８ａと建物躯体４との間の隙間を覆いボード本体８の前後への揺動時に一端８ａが接触しない部材である。目隠し部材１４の素材は、アルミやステンレス等の金属が好ましい。しかしこれに限らず、目隠し部材１４の素材はその他の金属でもよく、またプラスチック等の樹脂でもよい。
【００３６】
また図２に示すように、目隠し部材１４は、建物躯体４から一端８ａより一定の距離Ｂ他端８ｂ側まで延び、鉛直軸Ａから目隠し部材１４までの距離Ｃは、鉛直軸Ａから一端８ａまでの距離Ｄより長い。この構造により、図２（Ａ）と（Ｂ）に示すようにボード本体８の一端８ａが目隠し部材１４に接触しないため、ボード本体８を前面８ｅ側にも後面８ｆ側にも開放できる。さらにこの構造により、目隠し部材１４が一端８ａより一定の距離Ｂの分、ボード本体８と重なるので、隣室からベランダや室内が見えることがなく、プライバシを守ることができる。
そのため、本発明の可動式パーテーションボード２は、必要なときには前後方向の両方にボード本体８を開放できると共に、通常時には建物躯体４とボード本体８との間の隙間をしっかり覆うことができる。
【００３７】
なお、目隠し部材１４の構造は、ボード本体８が前後に揺動するときに一端８ａが目隠し部材１４に接触しなければ、これに限らない。
【００３８】
さらに、目隠し部材１４の水平面による横断面形状は、ボード本体８側の側面が鉛直軸Ａを中心とする円に切り欠かれた形状となっていることが好ましい。
【００３９】
図４と図５は、本発明の固定金具１６の説明図である。図４と図５の双方において、（Ａ）は閉鎖時の可動式パーテーションボード２の説明図であり、（Ｂ）は開放時の可動式パーテーションボード２の説明図である。
なお、図４には、手摺６がコンクリート躯体６ｂである場合が図示され、図５には、手摺６が支柱６ａである場合が図示されている。
【００４０】
図４と図５に示すように、固定金具１６は、手摺６と他端８ｂとを固定する。手摺６は、支柱６ａ（図５を参照）あるいはコンクリート躯体６ｂ（図４を参照）であることが好ましい。
【００４１】
また固定金具１６は、手摺固定金具１６ａとボード固定金具１６ｂと長ボルト１６ｃとを備える。
【００４２】
手摺固定金具１６ａは、手摺６に固定され、該手摺６からボード本体８の前面８ｅと後面８ｆのうちの一方の面の他端８ｂより所定の距離一端８ａ側まで延びる。手摺６がコンクリート躯体６ｂである場合、図４に示すように、手摺固定金具１６ａはボルト１６ｚでコンクリート躯体６ｂに固定されていることが好ましい。しかし、これに限らず、手摺固定金具１６ａはその他の固定方法で、コンクリート躯体６ｂに固定されていてもよい。
なお図４と図５の例では、一方の面は前面８ｅである。
【００４３】
ボード固定金具１６ｂは、ボード本体８の前面８ｅと後面８ｆのうちの他方の面に固定され、該他方の面の他端８ｂから手摺６まで延びる。図４と図５の例では、他方の面は前面８ｅである。
【００４４】
長ボルト１６ｃは、手摺固定金具１６ａとボード本体８とボード固定金具１６ｂとを貫通して固定する。
なお、長ボルト１６ｃは、ボード本体８の他端８ｂ側の縦枠である手摺側縦枠２０を貫通していることが好ましい。
【００４５】
このとき、前面８ｅ側から見た手摺固定金具１６ａの外観と後面８ｆ側から見たボード固定金具１６ｂの外観とは、ほぼ同じになることが好ましい。これにより、前面８ｅ側の居住者から見た可動式パーテーションボード２の外観と、後面８ｆ側の居住者から見たそれとを同じにすることができる。
【００４６】
固定金具１６の構成により、本発明の可動式パーテーションボード２は、図４（Ｂ）や図５（Ｂ）に示すように長ボルト１６ｃとボード固定金具１６ｂとを外すことにより他方の側に開放可能となる。それにより鉛直軸Ａを中心に可動式パーテーションボード２を回転させて、可動式パーテーションボード２を他方の側に開くことができ、手摺固定金具１６ａがボード本体８のストッパとなる。
さらに、手摺固定金具１６ａとボード固定金具１６ｂとを入れ替えて付け直すことにより、例えば図４と図５の例で、可動式パーテーションボード２を前面８ｅ側に開放させることもできる。
【００４７】
このように本発明の可動式パーテーションボード２は、手摺固定金具１６ａを付ける側に応じて、前面８ｅ側にも後面８ｆ側にも開放可能である。また手摺固定金具１６ａを外すことにより、常に前面８ｅ側と後面８ｆ側の両方向に開放可能にすることもできる。
【００４８】
また図５に示すように、ボード固定金具１６ｂが一方の側に屈曲して手摺固定金具１６ａに係合する係合部１６ｄを有し、係合部１６ｄが係合する係合溝１６ｅを手摺固定金具１６ａが有していてもよい。この場合、長ボルト１６ｃは、係合溝１６ｅに係合部１６ｄが係合した状態で手摺固定金具１６ａとボード本体８とボード固定金具１６ｂとを貫通して固定することが好ましい。
この構成により本発明の可動式パーテーションボード２は、長ボルト１６ｃを外してボード固定金具１６ｂを上下にスライドすることで、容易にボード固定金具１６ｂを外すことができ、さらに安定してボード本体８を手摺６で支えることができる。
【００４９】
次に本発明の可動式パーテーションボード２の使用方法を説明する。
本発明の可動式パーテーションボード２を使用するときは、以下の手順で行う。
【００５０】
（１）まず、作業の初日に固定金具１６の長ボルト１６ｃとボード固定金具１６ｂを外す。
【００５１】
（２）その後、作業員が帰宅する際には、ボード本体８と手摺固定金具１６ａとに開けられた長ボルト１６ｃを貫通させる貫通孔に、針金やチェーンを通し、それに鍵を付ける。鍵は、ダイヤル式の鍵が好ましいが、その他の鍵でもよい。
【００５２】
（３）その後、作業期間中は、鍵を開けるだけでボード本体８を開閉可能にできる。また作業員が帰宅するときには、鍵をかけるだけで、ボード本体８を開閉不能に固定できる。
【００５３】
（４）作業期間が終了するときは、再度、ボード固定金具１６ｂを長ボルト１６ｃで取り付ける。
このように、本発明の可動式パーテーションボード２では、ボード固定金具１６ｂと長ボルト１６ｃとを取り外すだけで、容易に可動式パーテーションボード２を開閉可能状態にでき、またボード固定金具１６ｂを長ボルト１６ｃで取り付けるだけで容易に可動式パーテーションボード２を元の固定状態に戻せる。
【００５４】
上述した本発明の可動式パーテーションボード２によれば、上面８ｃと下面８ｄとに枢着するピボット軸１２が同一の鉛直軸Ａ上に設置されているので、固定金具１６を外せば、鉛直軸Ａを中心に前面８ｅ側にも後面８ｆ側にもボード本体８を開放できる。そのため、仮に可動式パーテーションボード２の前面８ｅと後面８ｆのどちらか一方の側に、排水の樋等の動かせない物が設置されていたとしても、可動式パーテーションボード２を他方の側に開放させることができる。
【００５５】
また可動式パーテーションボード２が目隠し部材１４を有し、目隠し部材１４の構造が、建物側縦枠１８から一端８ａより一定の距離Ｂ他端８ｂ側まで延び、さらに鉛直軸Ａから目隠し部材１４までの距離Ｃが鉛直軸Ａから一端８ａまでの距離Ｄより長いので、隣室からベランダや室内が見えることがなく、プライバシを守ることができ、かつボード本体８が前面８ｅ側にも後面８ｆ側にも開放できる。
【００５６】
なお本発明は上述した実施の形態に限定されず、本発明の要旨を逸脱しない範囲で種々変更を加え得ることは勿論である。
【符号の説明】
【００５７】
２  可動式パーテーションボード、４  建物躯体、
６  手摺、６ａ  支柱、
６ｂ  コンクリート躯体、
８  ボード本体、
８ａ  一端、８ｂ  他端、
８ｃ  上面、８ｄ  下面、
８ｅ  前面、８ｆ  後面、
１０  水平金具、
１０ａ  水平部、１０ｂ  鉛直部、
１２  ピボット軸、
１３  ピボットヒンジ機構、
１４  目隠し部材、
１６  固定金具、
１６ａ  手摺固定金具、
１６ｂ  ボード固定金具、１６ｃ  長ボルト、
１６ｄ  係合部、１６ｅ  係合溝、
１６ｚ  ボルト、
１８  建物側縦枠、２０  手摺側縦枠、
２２  横枠、２３  パネル、
２４  ピボット挿入孔、
Ａ  鉛直軸、Ｂ  距離、
Ｃ  距離、Ｄ  距離
【図１】
2014218818.tif 000003
【図２】
2014218818.tif 000004
【図３】
2014218818.tif 000005
【図４】
2014218818.tif 000006
【図５】
2014218818.tif 000007